(57)【要約】【課題】表示装置の解像度と、表示制御部の出力する表示信号の解像度とが一致しない場合も、該表示制御部により確実に表示装置を制御することができる。【解決手段】画像を表示する可変表示器２０と、該可変表示器２０に画像表示を指示する表示制御基板２７（サブＣＰＵ２７ａ）を設ける。また、サブＣＰＵ２７ａが出力する表示信号を可変表示器２０に応じた解像度に拡大する第１変換装置３１と、該第１変換装置３１が出力した拡大表示信号を可変表示器２０で要求される入力信号形式に変換する第２変換装置３２を設ける。【選択図】      図３
2006334070.tif 000002
【特許請求の範囲】
【請求項１】
画像を表示する表示装置と、
前記表示装置に画像表示を指示する表示信号を出力する表示制御部と、
前記表示信号を入力し、該表示信号を、前記表示装置に応じて画像表示を拡大させるとともに前記表示装置に応じて解像度を上昇させる拡大表示信号に変換する第１の信号変換部と、
前記第１の信号変換部が出力する前記拡大表示信号を、前記表示装置で要求される入力信号形式に変換する第２の信号変換部とを備えたことを特徴とする遊技機。
【請求項２】
前記第１の信号変換部と前記第２の信号変換部は、前記表示制御部が設けられた表示制御基板とは別基板とされた変換基板に設けられていることを特徴とする請求項１に記載の遊技機。
【請求項３】
前記第１の信号変換部、前記第２の信号変換部及び前記表示制御部は各別基板に設けられていることを特徴とする請求項１に記載の遊技機。
【発明の詳細な説明】
【技術分野】
【０００１】
本発明は、解像度の異なる表示装置を制御することができる遊技機に関する。
【背景技術】
【０００２】
従来、遊技機の一種であるパチンコ機では、表示装置にて図柄組み合わせゲーム（図柄変動ゲーム）が行われている。このような遊技機では、図柄組み合わせゲーム中に前記表示装置にて様々な表示内容により表示演出を行い、該表示装置の該表示演出の制御を表示制御基板により制御している。ところで、表示制御基板は、表示装置に合わせて作製され、該表示装置専用の表示制御基板が用意されていた。そして、表示制御基板は、表示装置に応じた画像信号を供給し、該表示装置に画像を表示させていた。すなわち、表示装置に応じて作製された表示制御基板では、種類の異なる表示装置を制御することができなかった。このため、特許文献１に記載の発明が提案されている。特許文献１では、表示制御基板から表示装置に供給される画像信号を、表示装置に応じた解像度に変換した拡大画像信号に変換し、その変換した拡大画像信号を表示装置に供給することができる遊技機が開示されている。
【特許文献１】特開２００４−１４７８７５号公報（請求項１，請求項２，段落番号［００８０］）
【発明の開示】
【発明が解決しようとする課題】
【０００３】
しかしながら、表示装置では、表示装置毎で要求する画像信号の種類が異なる場合がある。例えば、表示装置毎に画像信号を入力する入力端子の数が異なる場合がある。このため、表示制御基板の出力した画像信号を単に表示装置に応じた解像度に変換した拡大画像信号を入力しただけでは、表示制御基板の出力端子の数が表示装置の入力端子の数と一致していなければ、表示装置には接続できないこととなる。
【０００４】
この発明は、このような実情に鑑みてなされたものであり、表示装置の解像度と、表示制御部の出力する表示信号の解像度とが一致しない場合も、該表示制御部により確実に表示装置を制御することができる遊技機を提供することにある。
【課題を解決するための手段】
【０００５】
上記目的を達成するために、請求項１に記載の発明は、画像を表示する表示装置と、前記表示装置に画像表示を指示する表示信号を出力する表示制御部と、前記表示信号を入力し、該表示信号を、前記表示装置に応じて画像表示を拡大させるとともに前記表示装置に応じて解像度を上昇させる拡大表示信号に変換する第１の信号変換部と、前記第１の信号変換部が出力する前記拡大表示信号を、前記表示装置で要求される入力信号形式に変換する第２の信号変換部とを備えたことを要旨とする。
【０００６】
請求項２に記載の発明は、請求項１に記載の遊技機において、前記第１の信号変換部と前記第２の信号変換部は、前記表示制御部が設けられた表示制御基板とは別基板とされた変換基板に設けられていることを要旨とする。
【０００７】
請求項３に記載の発明は、請求項１に記載の遊技機において、前記第１の信号変換部、前記第２の信号変換部及び前記表示制御部は各別基板に設けられていることを要旨とする。
【発明の効果】
【０００８】
本発明によれば、表示装置の解像度と、表示制御部の出力する表示信号の解像度とが一致しない場合も、該表示制御部により確実に表示装置を制御することができる。
【発明を実施するための最良の形態】
【０００９】
（第１の実施形態）
以下、本発明をその一種であるパチンコ遊技機（以下、「パチンコ機」と示す）に具体化した第１の実施形態を図１〜図３にしたがって説明する。
【００１０】
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を透視保護するための保護ガラスが装着されるガラス枠を備えた前枠１４と、上球皿１５がそれぞれ横開き状態で開閉可能に組み付けられている。前枠１４の上方及び遊技盤１３の遊技領域１３ａには、点灯（点滅）又は消灯し、発光装飾に基づく遊技演出（発光演出）を行う装飾ランプ１６が設けられている。外枠１１の下部には、各種音声を出力し、音声出力に基づく遊技演出（音声演出）を行うスピーカ１７が配置されている。中枠１２の下部には、下球皿１８及び発射装置１９が装着されている。
【００１１】
遊技盤１３の遊技領域１３ａの略中央には、液晶ディスプレイ型（液晶式）の表示装置としての可変表示器２０を備えたセンター役物装置２１が配設されている。図１に示すパチンコ機１０には、ＳＶＧＡ（Super Video Graphics Array）方式とされた１０．４インチ（画面サイズ）の液晶ディスプレイ型の可変表示器２０が搭載されている。なお、ＳＶＧＡ方式のディスプレイでは、その解像度が、８００×６００ピクセルとなる。可変表示器２０では、変動画像（又は画像表示）に基づく遊技演出（表示演出）が行われ、その表示演出として複数種類（例えば、１〜８までの８種類の数字図柄）を複数列（例えば、３列）で変動させて表示する図柄組み合わせゲーム（図柄変動ゲーム）が行われるようになっている。
【００１２】
そして、遊技者は、図柄組み合わせゲームにて最終的に表示された図柄組み合わせから大当り又ははずれを認識できる。大当りの図柄組み合わせ（例えば、［１１１］や［３３３］などの同一図柄の組み合わせ）が表示された場合、遊技者には、大当り遊技が付与される。大当り遊技が付与されると、遊技盤１３に設けられた大入賞口２５の大入賞口扉２４が開放されて遊技球が入賞可能となり、多数の賞球が獲得できるチャンスを得ることができる。なお、図柄組み合わせゲームは、遊技盤１３に設けられた開閉羽根２２を備えた始動入賞口２３に遊技球が入賞することを契機に行われる。
【００１３】
次に、パチンコ機１０の制御構成を図３に基づき説明する。
パチンコ機１０の機裏側には、パチンコ機１０全体を制御する主制御基板２６が装着されている。主制御基板２６は、パチンコ機１０全体を制御するための各種処理を実行し、該処理結果に応じて遊技を制御するための各種制御信号（制御コマンド）を演算処理し、該制御コマンドを出力する。また、機裏側には、表示制御基板２７と、音声制御基板２８と、ランプ制御基板２９とが装着されている。表示制御基板２７は、主制御基板２６が出力する制御コマンドに基づき、可変表示器２０の表示態様（図柄、背景、文字などの表示画像）を制御する。音声制御基板２８は、主制御基板２６が出力する制御コマンドに基づき、スピーカ１７の音声出力態様（音声出力のタイミングなど）を制御する。ランプ制御基板２９は、主制御基板２６の出力する制御コマンドに基づき、装飾ランプ１６の発光態様（点灯（点滅）／消灯のタイミングなど）を制御する。
【００１４】
そして、本実施形態のパチンコ機１０には、ＶＧＡ（Video Graphics Array）方式とされた９インチの液晶ディスプレイ型の可変表示器を搭載したパチンコ機に装着されていた表示制御基板２７が装着されている。この表示制御基板２７は、ＶＧＡ方式のディスプレイに合わせて作製されたものである。なお、ＶＧＡ方式のディスプレイでは、その解像度が６４０×４８０ピクセルとなる。
【００１５】
図２は、ＶＧＡ方式（９インチ）の可変表示器２０（図２（ａ））とＳＶＧＡ方式（１０．４インチ）の可変表示器２０（図２（ｂ））の画面例を示す。ＶＧＡ方式用に作成された画像をＳＶＧＡ方式のディスプレイに表示させた場合、その画像は、解像度が一致しておらず、かつ高解像度のディスプレイに表示されることにより全体的に粗く表示される。特に、細部においては、画像の粗さが目立つようになる（図２（ｃ））。可変表示器２０で行われる遊技演出（表示演出）は、現行のパチンコ機１０において最も遊技効果（面白さやドキドキ感など）を高め得る演出であって重要視されているので、低画質のパチンコ機１０は遊技者から倦厭される虞がある。このため、制御対象となる可変表示器２０の形式が異なる表示制御基板２７を用いる場合には、当該表示制御基板２７に制御させる可変表示器２０の形式に合った画像処理を施す必要がある。
【００１６】
そこで、本実施形態のパチンコ機１０には、表示制御基板２７と可変表示器２０との間に、画像の解像度を変換処理するスケーラ基板（変換基板）３０が装着されている。
以下、表示制御基板２７、スケーラ基板３０について、その具体的な構成を説明する。
【００１７】
表示制御基板２７には、サブＣＰＵ２７ａと、ＲＯＭ２７ｂと、ＲＡＭ２７ｃと、入力ポート２７ｅと、出力ポート２７ｄとが設けられている。サブＣＰＵ２７ａには、ＲＯＭ２７ｂと、ＲＡＭ２７ｃと、入力ポート２７ｅと、出力ポート２７ｄとが接続されている。ＲＯＭ２７ｂには、表示演出を制御するための表示制御プログラムと、画像データ（図柄、背景、文字などの表示画像）が記憶されている。また、ＲＡＭ２７ｃには、パチンコ機１０の動作中に適宜書き換えられる各種の情報が記憶（設定）されるようになっている。
【００１８】
サブＣＰＵ２７ａは、主制御基板２６が出力した図柄組み合わせゲームの開始を指示する制御コマンドを入力ポート２７ｅを介して入力すると、表示制御プログラムにしたがって図柄組み合わせゲームの演出内容（可変表示器２０の表示内容）を決定する。続いて、サブＣＰＵ２７ａは、決定した演出内容に応じた表示画像をＲＯＭ２７ｂに記憶されている画像データをもとに作成し、その表示画像をＲＡＭ２７ｃに一時記憶する。そして、サブＣＰＵ２７ａは、所定のタイミングで作成した表示画像の表示を指示する表示信号を出力ポート２７ｄから出力する。この表示信号は、出力ポート２７ｄを介してパラレル信号形式でスケーラ基板３０に出力される。本実施形態では、サブＣＰＵ２７ａと、ＲＯＭ２７ｂと、ＲＡＭ２７ｃと、入力ポート２７ｅと、出力ポート２７ｄにより、表示制御部が構成される。
【００１９】
次に、スケーラ基板３０について説明する。本実施形態のスケーラ基板３０には、第１の信号変換部としての第１変換装置３１と第２の信号変換部としての第２変換装置３２とが搭載されている。また、スケーラ基板３０には、入力ポート３１ｄと出力ポート３２ｂとが搭載されている。
【００２０】
第１変換装置３１には、変換ＣＰＵ３１ａと、制御ＲＯＭ３１ｂと、ＲＡＭ３１ｃとが設けられている。変換ＣＰＵ３１ａには、制御ＲＯＭ３１ｂと、ＲＡＭ３１ｃと、入力ポート３１ｄとが接続されている。入力ポート３１ｄは、パラレル信号形式の信号を入力可能とされ、表示制御基板２７の出力ポート２７ｄとパラレル伝送可能に信号線で接続されている。制御ＲＯＭ３１ｂには、変換制御プログラムが記憶されている。また、ＲＡＭ３１ｃには、パチンコ機１０の動作中に適宜書き換えられる情報が記憶（設定）されるようになっている。
【００２１】
変換ＣＰＵ３１ａは、表示信号を入力すると、変換制御プログラムに基づき、該表示信号の解像度を可変表示器２０に応じた所定の解像度に変換する。本実施形態では、ＶＧＡ方式とされた表示信号の解像度をＳＶＧＡ方式に拡大し、該表示信号を解像度が拡大された拡大表示信号に変換する。表示信号の解像度を拡大するとは、可変表示器２０に応じた画面サイズ（１０．４インチ）に表示画像を拡大させるとともに、可変表示器２０に応じた解像度（ＳＶＧＡ方式）に表示画像の解像度を上昇させることである。具体的には、変換ＣＰＵ３１ａは、表示信号を入力すると、表示画像をＲＡＭ３１ｃの所定の領域に記憶する。続いて、変換ＣＰＵ３１ａは、ＲＡＭ３１ｃに記憶した表示画像を順次読み出し、変換制御プログラムに基づき、所定の解像度（ＶＧＡ方式の解像度からＳＶＧＡ方式の解像度）に拡大（変換）する。変換ＣＰＵ３１ａは、表示画像の水平方向サイズと垂直方向サイズを、変換前の解像度と変換後の解像度に基づく倍率で拡大し、その拡大した表示画像のビットを補填して表示画像の解像度を拡大する。変換制御プログラムとしては、表示信号を変換させるべき解像度に応じた変換制御プログラムが用意されている。
【００２２】
また、表示画像を変換した変換ＣＰＵ３１ａは、変換した表示画像をＲＡＭ３１ｃに一時記憶する。そして、一時記憶させた変換ＣＰＵ３１ａは、変換後の表示画像（拡大表示画像）の表示を指示する拡大表示信号を第２変換装置３２に出力する。
【００２３】
次に、第２変換装置３２について説明する。
第２変換装置３２には、信号変換回路（集積回路）３２ａが設けられている。信号変換回路３２ａは、第１変換装置３１の変換ＣＰＵ３１ａと出力ポート３２ｂとに接続されている。また、信号変換回路３２ａは、出力ポート３２ｂを介して可変表示器２０の入力ポート２０ａに接続されている。本実施形態の第２変換装置３２は、第１変換装置３１（変換ＣＰＵ３１ａ）が出力する拡大表示信号を、可変表示器２０で要求される入力信号形式に変換する。
【００２４】
本実施形態では、可変表示器２０で要求される入力信号形式がシリアル信号形式とされている。このため、第２変換装置３２（信号変換回路３２ａ）は、第１変換装置３１が出力した拡大表示信号をシリアル信号形式に変換し、その変換後の拡大表示信号を出力する。また、第２変換装置３２には、可変表示器２０の入力ポート２０ａに接続可能で、かつ当該入力ポート２０ａとの間でシリアル伝送可能な出力ポート３２ｂが接続されている。すなわち、第２変換装置３２には、可変表示器２０側の入力端子（入力ポート２０ａ）の形状及びピン数に応じた出力端子（出力ポート３２ｂ）が接続されている。
【００２５】
本実施形態のパチンコ機１０では、表示制御基板２７（サブＣＰＵ２７ａ）が出力した表示信号をスケーラ基板３０の第１変換装置３１（変換ＣＰＵ３１ａ）にて可変表示器２０の解像度に拡大した拡大表示信号に変換する。そして、この拡大表示信号は、パラレル信号形式で出力されるので、当該拡大表示信号をスケーラ基板３０の第２変換装置３２（信号変換回路３２ａ）にて可変表示器２０で要求されるシリアル信号形式に変換する。すなわち、スケーラ基板３０は、表示信号の解像度の変換と入力信号形式の変換を行う。このため、表示制御基板２７（サブＣＰＵ２７ａ）が出力した表示信号は、可変表示器２０の解像度に一致し、かつ可変表示器２０で要求される入力信号形式に一致する信号となって可変表示器２０に入力される。その結果、可変表示器２０では、当該可変表示器２０に見合った表示画像が表示され、高画質を維持した状態で表示演出が行われる。
【００２６】
したがって、本実施形態によれば、以下に示す効果を得ることができる。
（１）第１変換装置３１（変換ＣＰＵ３１ａ）は、表示制御基板２７（サブＣＰＵ２７ａ）が出力する表示信号を可変表示器２０に応じた解像度に拡大する拡大表示信号に変換する。また、第２変換装置３２（信号変換回路３２ａ）は、第１変換装置３１（変換ＣＰＵ３１ａ）によって変換された拡大表示信号を可変表示器２０で要求される入力信号形式（シリアル信号形式）に変換する。このため、可変表示器２０の種類（解像度）に応じて表示制御基板２７（サブＣＰＵ２７ａ）を変更する必要がなく、異なる種類（解像度）の可変表示器のために作製された表示制御基板２７（サブＣＰＵ２７ａ）を流用することができる。したがって、可変表示器２０の解像度と、表示制御基板２７（サブＣＰＵ２７ａ）の出力する表示信号の解像度とが一致しない場合も、該表示制御基板２７（サブＣＰＵ２７ａ）により確実に可変表示器２０を制御することができる。
【００２７】
（２）第１変換装置３１と第２変換装置３２は、表示制御基板２７とは別基板（スケーラ基板３０）に設けられている。このため、サブＣＰＵ２７ａ（表示制御基板２７）の出力する表示信号の解像度と異なる解像度の可変表示器２０を制御する場合、制御する可変表示器２０に合わせて第１変換装置３１及び第２変換装置３２が設けられているスケーラ基板３０を交換すれば良い。すなわち、前記可変表示器の制御を前記サブＣＰＵ２７ａ（表示制御基板２７）を流用して制御することができる。また、前記サブＣＰＵ２７ａ（表示制御基板２７）で前記可変表示器２０を制御する場合、第１変換装置３１及び第２変換装置３２の両方を交換することが多くあるため、スケーラ基板３０を交換するのみで対応できる。また、可変表示器毎にサブＣＰＵ２７ａ（表示制御基板２７）を開発する場合に比べて、サブＣＰＵ２７ａ（表示制御基板２７）の開発に係る作業効率も向上させることができる。
【００２８】
（３）また、可変表示器２０の種類（解像度）の変更に伴って表示制御プログラムの新たな開発に掛かる時間や人件費などを削減できる。また、可変表示器２０の解像度が高解像度化されることに伴って高性能なＣＰＵを表示制御基板２７に搭載する必要もない。したがって、可変表示器２０の種類（解像度）を変更してもパチンコ機１０自体の製造コスト増を抑制できる。
【００２９】
（４）第２変換装置３２は、第１変換装置３１が出力するパラレル信号形式の拡大表示信号をシリアル信号形式に変換するようにした。このため、第２変換装置３２と可変表示器２０との接続を単純化することができる。すなわち、信号線の数を減らすことができ、可変表示器２０に係る制御の負担を軽減することができる。
【００３０】
（５）第２変換装置３２には、可変表示器２０の入力ポート２０ａの形状及びピン数に応じた出力ポート３２ｂが接続されている。このため、可変表示器２０には、可変表示器２０の入力ポート２０ａの形状及ピン数に応じた表示信号が第２変換装置３２から出力ポート３２ｂを介して入力される。したがって、可変表示器２０の入力ポート２０ａに合わせて出力ポート３２ｂを設けることで、確実に可変表示器２０に信号を入力させることができる。
（第２の実施形態）
次に、本発明の第２の実施形態を図４に基づき説明する。なお、以下に説明する実施形態では、既に説明した実施形態と同一構成（又は同一制御内容）は、同一の符号を付すなどして、その重複する説明を簡略又は省略する。
【００３１】
本実施形態のパチンコ機１０では、第１変換装置３１、第２変換装置３２及び表示制御基板２７（サブＣＰＵ２７ａ、ＲＯＭ２７ｂ、ＲＡＭ２７ｃ、入力ポート２７ｅ、出力ポート２７ｄ）を図４に示すように各別の基板に設けている。そして、第１変換装置３１は第１変換基板３３に搭載され、第２変換装置３２は第２変換基板３４に搭載されている。
【００３２】
次に、第１変換基板３３（第１変換装置３１）及び第２変換基板３４（第２変換装置３２）について説明する。
第１変換基板３３には、入力ポート３１ｄと、出力ポート３１ｅが設けられている。出力ポート３１ｅは、変換ＣＰＵ３１ａに接続されている。そして、変換ＣＰＵ３１ａは、拡大表示信号を出力ポート３１ｅを介して第２変換基板３４（第２変換装置３２）に出力する。出力ポート３１ｅからは、パラレル信号形式で拡大表示信号が出力される。
【００３３】
第２変換基板３４には、入力ポート３２ｃと、出力ポート３２ｂが設けられている。入力ポート３２ｃは、信号変換回路３２ａに接続されている。入力ポート３２ｃは、パラレル信号形式の信号を入力可能とされ、第１変換基板３３の出力ポート３１ｅとパラレル伝送可能に信号線で接続されている。
【００３４】
したがって、本実施形態によれば、第１の実施形態の効果（１）〜（５）と同様の効果に加えて以下に示す効果を得ることができる。
（６）表示制御基板２７（サブＣＰＵ２７ａ、ＲＯＭ２７ｂ、ＲＡＭ２７ｃ、入力ポート２７ｅ、出力ポート２７ｄ）と、第１変換装置３１と、第２変換装置３２とを各別基板に設けた。このため、サブＣＰＵ２７ａ（表示制御基板２７）の出力する表示信号の解像度と異なる可変表示器２０を制御する場合、制御する可変表示器２０に合わせて第１変換基板３３（第１変換装置３１）又は第２変換基板３４（第２変換装置３２）を交換すれば良い。例えば、表示信号の解像度を変換する場合には第１変換装置３１（第１変換基板３３）を変更し、入力信号形式（パラレル信号形式及びシリアル信号形式）を変換する場合には第２変換装置３２（第２変換基板３４）を変更すれば良い。また、表示信号の解像度及び入力信号形式の両方を変更する場合には、第１変換装置３１（第１変換基板３３）及び第２変換装置３２（第２変換基板３４）の両方を変更すれば良い。したがって、第１変換基板３３（第１変換装置３１）又は第２変換基板３４（第２変換装置３２）を可変表示器２０に合わせて任意に変更することができ、組み合わせの自由度を広げることができる。
（第３の実施形態）
次に、本発明の第３の実施形態を図５に基づき説明する。
【００３５】
本実施形態のパチンコ機１０では、図５に示すように、表示制御部（サブＣＰＵ２７ａ、ＲＯＭ２７ｂ、ＲＡＭ２７ｃ、入力ポート２７ｅ、出力ポート２７ｄ）と第１変換装置３１とを表示制御基板２７に設け、第２変換装置３２を表示制御基板２７とは別基板に設けている。そして、第２変換装置は、第２変換基板３４に搭載されている。
【００３６】
次に、表示制御基板２７及び第２変換基板３４（第２変換装置３２）について説明する。
表示制御基板２７では、サブＣＰＵ２７ａと変換ＣＰＵ３１ａとが接続され、変換ＣＰＵ３１ａに出力ポート２７ｄが接続されている。変換ＣＰＵ３１ａは、拡大表示信号を出力ポート２７ｄを介して第２変換基板３４（第２変換装置３２）に出力する。出力ポート２７ｄからは、パラレル信号形式で拡大表示信号が出力される。
【００３７】
第２変換基板３４には、入力ポート３２ｃが設けられている。入力ポート３２ｃは、信号変換回路３２ａに接続されている。入力ポート３２ｃは、パラレル信号形式の信号を入力可能とされ、表示制御基板２７の出力ポート２７ｄとパラレル伝送可能に信号線で接続されている。
【００３８】
したがって、本実施形態によれば、第１の実施形態及び第２の実施形態の効果（１）〜（５）と同様の効果に加えて以下に示す効果を得ることができる。
（７）表示制御部（サブＣＰＵ２７ａ、ＲＯＭ２７ｂ、ＲＡＭ２７ｃ、入力ポート２７ｅ、出力ポート２７ｄ）と第１変換装置３１とを表示制御基板２７に設け、第２変換装置３２を別基板に設けた。このため、表示信号の解像度を変更する必要がなく（第１変換装置３１を交換する必要がない場合）、入力信号形式（パラレル信号及びシリアル信号）を変更したい場合、第２変換装置３２（第２変換基板３４）を交換すれば良い。すなわち、可変表示器２０を、サブＣＰＵ２７ａ（表示制御基板２７）及び第１変換装置３１を流用して制御することができる。また、第１変換装置３１及び第２変換装置３２を１枚基板（スケーラ基板３０）に装着し、該基板自体を交換する場合に比べて、コストダウンを図ることができる。
【００３９】
尚、前記各実施形態は以下のように変更しても良い。
・上記各実施形態において、第１変換装置３１の制御ＲＯＭ３１ｂには、複数種類の変換制御プログラムを記憶させておき、表示信号を変換する解像度に合わせて変換制御プログラムを選択し、選択した変換制御プログラムに基づき該表示信号を変換しても良い。この場合、可変表示器２０の種類に合わせていずれの変換制御プログラムを用いて表示信号を変換するかの設定を行えるように構成し、変換ＣＰＵ３１ａは、その設定に基づき変換制御プログラムを選択し、表示信号を変換する。このため、第１変換装置３１を複数種類の可変表示器に対応させることができる。
【００４０】
・上記各実施形態は、ＶＧＡ方式の表示信号をＳＶＧＡ方式の表示信号（拡大表示信号）に変換する場合を例に挙げて説明したが、変換前の形式と変換後の形式の組み合わせを変更しても良い。例えば、ＶＧＡ方式をＸＧＡ（Extended Graphics Array ) 方式に変換しても良いし、ＳＶＧＡ方式をＸＧＡ方式に変換しても良い。なお、ＸＧＡ方式のディスプレイでは、その解像度が１０２４×７６８ピクセルとなる。この場合、可変表示器２０の解像度に合わせ、第１変換装置３１の制御ＲＯＭ３１ｂに記憶される変換制御プログラムが変更される。
【００４１】
・上記各実施形態において、各基板間（表示制御基板２７及びスケーラ基板３０）及び各装置間（第１変換装置３１及び第２変換装置３２）において、表示信号及び拡大表示信号の信号形式は、任意に変更しても良い。この場合、第２変換装置３２は、最終的に可変表示器２０で要求される入力信号形式に変換し、該可変表示器２０に入力可能であれば良い。例えば、可変表示器２０で要求される入力信号形式がパラレル信号形式であって、第２変換装置３２には、シリアル信号形式の拡大表示信号が入力される場合には、第２変換装置３２の信号変換回路３２ａは、シリアル信号形式で入力した拡大表示信号をパラレル信号形式に変換する。
【００４２】
・上記各実施形態において、第１変換装置３１及び第２変換装置３２は、前記表示制御基板２７及び前記可変表示器２０のコネクタ（接続部）に着脱自在としても良い。こうすることで、第１変換装置３１又は第２変換装置３２を必要としない場合（表示制御基板２７の出力する表示信号の信号形式と、可変表示器で要求する信号形式とが一致する場合）には、表示制御基板２７と可変表示器２０とを直接接続させることができる。したがって、表示信号を変換する必要がない場合には、第１変換装置３１及び及び第２変換装置３２を取り外し、可変表示器２０の制御を行うことができる。一方、表示信号と可変表示器２０の解像度が一致しない場合には、第１変換装置３１及び第２変換装置３２を取り付けることができる。したがって、可変表示器２０の解像度と、表示制御基板２７の出力する表示信号の解像度とが一致しない場合も、表示制御基板２７により確実に可変表示器２０を制御することができる。
【００４３】
・上記各実施形態における信号変換回路３２ａとしては、例えば、入力したパラレル信号形式の信号を低電圧作動のシリアル信号形式の信号に変換して伝送する方式を採用した集積回路が好ましい。この集積回路では、入力信号がＬＶＤＳ（Low Voltage Differential Signaling）信号に変換されて出力される。
【００４４】
・上記各実施形態において、出力ポート３２ｂは、第２変換装置３２に設けられても良い。
次に、前記実施形態及び別例から把握できる技術的思想を以下に追記する。
【００４５】
（イ）前記表示制御部と前記表示装置とは、接続部を介して直接接続可能とされ、前記第１の信号変換部および前記第２の信号変換部は、前記接続部に着脱自在であることを特徴とする請求項１〜請求項３のうちいずれか一項に記載の遊技機。
【００４６】
（ロ）前記第２の信号変換部は、前記第１の信号変換部が出力するパラレル形式の拡大表示信号をシリアル形式の拡大表示信号に変換する請求項１〜請求項３及び技術的思想（イ）のうちいずれか一項に記載の遊技機。
【００４７】
（ハ）前記第２の信号変換部には、前記表示装置の入力端子の形状及び入力端子の数に応じた出力端子が接続されていることを特徴とする請求項１〜請求項３、又は技術的思想（イ）又は技術的思想（ロ）のうちいずれか一項に記載の遊技機。
【００４８】
（ニ）前記第１の信号変換部は、前記表示制御部が設けられた表示制御基板に設けられ、第２の信号変換部は、前記表示制御基板とは別基板に設けられていることを特徴とする請求項１に記載の遊技機。
【図面の簡単な説明】
【００４９】
【図１】パチンコ遊技機の機表側を示す正面図。
【図２】（ａ）〜（ｃ）は、可変表示器の表示サイズ毎の表示態様を示す説明図。
【図３】パチンコ遊技機の制御構成を示すブロック図。
【図４】第２の実施形態におけるパチンコ遊技機の制御構成を示すブロック図。
【図５】第３の実施形態におけるパチンコ遊技機の制御構成を示すブロック図。
【符号の説明】
【００５０】
１０…パチンコ機、２０…可変表示器、２７…表示制御基板、２７ａ…サブＣＰＵ、３０…スケーラ基板、３１…第１変換装置、３１ａ…変換ＣＰＵ、３２…第２変換装置、３２ａ…信号変換回路。
【図１】
2006334070.tif 000003
【図２】
2006334070.tif 000004
【図３】
2006334070.tif 000005
【図４】
2006334070.tif 000006
【図５】
2006334070.tif 000007